(57)【要約】【課題】気圧の変化を検出する精度を向上すること。【解決手段】携帯電子機器（例えば、スマートフォン）１は、ハウジングと、気圧センサ１９と、コントローラ１０とを備える。気圧センサ１９は、封止されたハウジング内の気圧を検出する。コントローラ１０は、気圧センサ１９によって検出された気圧に基づいて制御を行う。コントローラ１０は、自機に対する利用者による操作を検出したときの気圧変動を無視する。さらに、コントローラ１０は、タッチスクリーンディスプレイ２に対する操作を検出したときの気圧変動を無視してもよい。【選択図】図４
2015122649.tif 000002
【特許請求の範囲】
【請求項１】
ハウジングと、
封止された前記ハウジング内の気圧を検出する気圧センサと、
前記気圧センサによって検出された気圧に基づいて制御を行うコントローラと
を備え、
前記コントローラは、自機に対する操作を検出したときの気圧変動を無視する携帯電子機器。
【請求項２】
操作部をさらに備え、
前記コントローラは、前記操作部に対する前記操作を検出したときの前記気圧変動を無視する請求項１に記載の携帯電子機器。
【請求項３】
加速度センサをさらに備え、
前記コントローラは、前記加速度センサによって検出された加速度と前記気圧センサによって検出された気圧に基づいて、前記自機を所持する対象物の消費量を算出する請求項１または２に記載の携帯電子機器。
【請求項４】
前記コントローラは、前記加速度センサによって検出された加速度に基づいて、前記対象物が第１移動方法で移動している状態であると判定した場合に、前記気圧センサによって検出された前記気圧の値を有効とし、前記対象物が第２移動方法で移動している状態であると判定した場合に、前記気圧センサによって検出された前記気圧の値を無視する請求項３に記載の携帯電子機器。
【請求項５】
通話のための通信を行う通信部をさらに備え、
前記コントローラは、前記通信部による通話中のときの前記気圧変動を無視する請求項１から４のいずれか１項に記載の携帯電子機器。
【請求項６】
ハウジングと、気圧センサとを備える携帯電子機器の制御方法であって、
封止された前記ハウジング内の気圧を前記気圧センサによって検出するステップと、
検出された前記気圧に基づいて制御を行うステップと、
自機に対する操作を検出したときの気圧変動を無視するステップと
を含む制御方法。
【請求項７】
ハウジングと、気圧センサとを備える携帯電子機器に、
封止された前記ハウジング内の気圧を前記気圧センサによって検出するステップと、
検出された前記気圧に基づいて制御を行うステップと、
自機に対する操作を検出したときの気圧変動を無視するステップと
を実行させる制御プログラム。
【発明の詳細な説明】
【技術分野】
【０００１】
本出願は、携帯電子機器、制御方法、及び制御プログラムに関する。
【背景技術】
【０００２】
携帯電話やスマートフォンなどの携帯電子機器には、気圧センサを搭載したものがある。例えば、特許文献１には、気圧センサを用いて昇降状態を推定する技術が開示されている（特許文献１参照）。
【先行技術文献】
【特許文献】
【０００３】
【特許文献１】特開２０１２−２３７７１９号公報
【発明の概要】
【発明が解決しようとする課題】
【０００４】
上記の携帯電子機器では、気圧の変化を検出する精度を向上することができる携帯電子機器、制御方法、及び制御プログラムに対するニーズがある。
【課題を解決するための手段】
【０００５】
１つの態様に係る携帯電子機器は、ハウジングと、封止された前記ハウジング内の気圧を検出する気圧センサと、前記気圧センサによって検出された気圧に基づいて制御を行うコントローラとを備え、前記コントローラは、自機に対する操作を検出したときの気圧変動を無視する。
【０００６】
１つの態様に係る制御方法は、ハウジングと、気圧センサとを備える携帯電子機器の制御方法であって、封止された前記ハウジング内の気圧を前記気圧センサによって検出するステップと、検出された前記気圧に基づいて制御を行うステップと、自機に対する操作を検出したときの気圧変動を無視するステップとを含む。
【０００７】
１つの態様に係る制御プログラムは、ハウジングと、気圧センサとを備える携帯電子機器に、封止された前記ハウジング内の気圧を前記気圧センサによって検出するステップと、検出された前記気圧に基づいて制御を行うステップと、自機に対する操作を検出したときの気圧変動を無視するステップとを実行させる。
【図面の簡単な説明】
【０００８】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、封止されたハウジング内の気圧変動の例を示す図である。
【図６】図６は、タッチスクリーンディスプレイに対する操作位置と気圧変動との関係を説明するための図である。
【図７】図７は、スマートフォンによる制御の例の処理手順を示すフローチャートである。
【図８】図８は、スマートフォンによる制御の第１の変形例の処理手順を示すフローチャートである。
【図９】図９は、スマートフォンによる制御の第２の変形例の処理手順を示すフローチャートである。
【発明を実施するための形態】
【０００９】
本出願に係る電子機器、制御方法、及び制御プログラムを実施するための実施形態を、図面を参照しつつ詳細に説明する。以下では、携帯電子機器の例として、スマートフォンについて説明する。
【００１０】
（実施形態）
図１から図３を参照しながら、実施形態に係る機器としてのスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１６】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１８】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００１９】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２０】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２２】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２３】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２５】
スマートフォン１のハウジング２０は、封止構造を備える。ハウジング２０は、封止構造によって内部への水の侵入が妨げられた空間となっている。スマートフォン１は、封止構造を実現するために、ハウジング２０に形成された開口部を、気体は通すが液体は通さない機能性部材、およびキャップ等によって閉塞している。気体は通すが液体は通さない機能性部材は、例えば、ゴアテックス（登録商標）などを用いて実現される。本実施形態では、ハウジング２０は、タッチスクリーンディスプレイ２及びボタン３を有する。この場合、スマートフォン１は、ハウジング２０とタッチスクリーンディスプレイ２及びボタン３との隙間への水の侵入を、気体は通すが液体は通さない機能性部材等によって、妨げている。
【００２６】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、気圧センサ１９とを有する。
【００２７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３１】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３２】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３５】
ストレージ９は、例えば、制御プログラム９Ａ、算出アプリケーション９Ｂ、電話アプリケーション９Ｃ、加速度データ９Ｗ、気圧データ９Ｘ、状態データ９Ｙ、及び設定データ９Ｚを記憶する。算出アプリケーション９Ｂは、例えば、スマートフォン１を所持する利用者の移動時におけるエネルギ消費量を算出するための機能を提供する。電話アプリケーション９Ｃは、他の電子機器との間で通話を行うための通話機能を提供する。加速度データ９Ｗは、スマートフォン１に作用する加速度を示す情報を含む。気圧データ９Ｘは、スマートフォン１に作用する気圧を示す情報を含む。状態データ９Ｙは、スマートフォン１の利用者の移動状態を示す情報を含む。設定データ９Ｚは、スマートフォン１の動作に関する各種の設定に関する情報を含む。
【００３６】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能には、加速度センサ１５及び気圧センサ１９等を制御することによって、スマートフォン１を所持する利用者の移動、停止等を検出する機能が含まれる。制御プログラム９Ａが提供する機能は、算出アプリケーション９Ｂ及び電話アプリケーション９Ｃ等の他のプログラムが提供する機能と組み合わせて利用されることがある。
【００３７】
制御プログラム９Ａは、加速度センサ１５が検出した加速度の値に基づいて、スマートフォン１（自機）を所持している利用者（対象物）が所定の移動方法で移動しているかを判定するための機能を提供する。移動方法については、後述する。
【００３８】
算出アプリケーション９Ｂは、例えば、利用者のエネルギ消費量を算出するために用いられる。算出アプリケーション９Ｂは、例えば、利用者の移動速度（歩数）とエネルギ消費量との関係式に、利用者の移動速度を当てはめて、利用者の消費量を算出するための機能を提供する。この利用者のエネルギ消費量は、利用者の移動方法を考慮して算出してもよい。例えば、利用者が同じ歩数を歩いた場合に、算出アプリケーション９Ｂは、利用者が歩きおよび走行のいずれかに応じて、エネルギ消費量の関係式を変更してもよい。この利用者のエネルギ消費量は、利用者の移動環境を考慮して算出してもよい。例えば、利用者が同じ歩数を歩いた場合に、算出アプリケーション９Ｂは、利用者が歩いている道が平坦であるか、上り坂であるかに応じて、エネルギ消費量の関係式を変更してもよい。このエネルギ消費量としては、例えば、日本国の計量法に基づいて「人若しくは動物が摂取する物の熱量又は人若しくは動物が代謝により消費する熱量の計量」として熱力学カロリー（ｃａｌ）が採用される。エネルギ消費量の計量はこれに限られるものではなく、ＣＧＰＭ（Ｃｏｎｆｅｒｅｎｃｅ  Ｇｅｎｅｒａｌ  ｄｅｓ  Ｐｏｉｄｓ  ｅｔ  Ｍｅｓｕｒｅｓ）に基づいてジュール（Ｊ）が採用されてもよい。
【００３９】
算出アプリケーションが算出する対象は、利用者のエネルギ消費量に限定されるものではなく、利用者のエクササイズ、歩行によって移動した際の歩数などを算出してもよい。「エクササイズ」とは、身体活動の量を表す単位である。エクササイズは、後述するメッツに身体活動の実施時間を乗じて算出される運動の量である。このメッツとは、身体活動の強さを表す単位である。この身体活動の強さは、身体活動の種類ごとに異なる。メッツは、例えば使用者の移動方法ごとに設定される。メッツは、活動量を示す活動ファクタであるエネルギ消費量の演算に用いてもよい。メッツでは、安静時の身体活動の強さに対する比として表される。例えば、座って安静にしている状態が１メッツ、普通歩行が３メッツに相当するとされる。つまり、普通歩行の身体活動の強さは、安静時の身体活動の強さに対して、３倍であることを意味する。
【００４０】
電話アプリケーション９Ｃは、通信ユニット６を介した着信、又は利用者による発信操作を検出した場合に実行される。電話アプリケーション９Ｃは、通信ユニット６による通信を介して通話を行うための機能を提供する。
【００４１】
加速度データ９Ｗには、複数の加速度情報が時系列的に記憶される。加速度情報は、時間と、加速度の値といった項目を含む。時間は、加速度センサ１５によって加速度を検出した時間を示す。加速度の値は、加速度センサ１５によって検出した加速度の値を示す。
【００４２】
気圧データ９Ｘには、複数の気圧情報が時系列的に記憶される。気圧情報は、時間と、気圧の値といった項目を含む。時間は、気圧センサ１９によって気圧を検出した時間を示す。気圧の値は、気圧センサ１９によって検出した気圧の値を示す。
【００４３】
状態データ９Ｙには、複数の状態情報が記憶される。状態情報は、時間と、利用者の状態といった項目を含む。時間は、加速度及び気圧を検出したサンプリング時間を示す。利用者の状態は、スマートフォン１を所持する利用者が移動しているか、静止しているか等の状態を示す。
【００４４】
設定データ９Ｚは、スマートフォン１の移動に関する判定を行うための判定条件データを含む。判定条件データは、制御プログラム９Ａが加速度センサ１５によって検出した加速度の値に基づいて、自機（スマートフォン１）を所持している利用者が所定の移動方法で移動しているかを判定するための条件を含む。例えば、判定条件データには、所定の移動方法で移動しているときにスマートフォン１に加わる加速度の方向及び大きさに基づく加速度の振動パターン、加速度の方向及び大きさの範囲等が含まれる。
【００４５】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御して各種の機能を実現する。
【００４６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、及び気圧センサ１９を含むが、これらに限定されない。
【００４７】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４８】
カメラ１２は、フロントフェイス１Ａに面している物体を撮影するインカメラである。カメラ１３は、バックフェイス１Ｂに面している物体を撮影するアウトカメラである。
【００４９】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５０】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。気圧センサ１９は、スマートフォン１に作用する気圧を検出する。加速度センサ１５、方位センサ１６、ジャイロスコープ１７、及び気圧センサ１９の検出結果は、スマートフォン１の位置及び姿勢の変化を検出するために、組み合わせて利用される。
【００５１】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５２】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５３】
次に、図５を参照しながら、封止されたスマートフォン１が利用者によって押下操作された場合に、ハウジング２０内で生じる気圧変動の例について説明する。図５は、封止されたハウジング内の気圧変動の例を示す図である。押下操作は、例えば、タッチ、ロングタッチ、スワイプ、タップ、ダブルタップ、ロングタップ、ドラッグ、フリック、ピンチイン、及びピンチアウトを含む。
【００５４】
図５に示すグラフＧ１は、スマートフォン１が開放状態のときに、利用者がタッチスクリーンディスプレイ２の中央付近を押下操作した場合の気圧を示している。開放状態とは、ハウジング２０の封止が不完全であり、ハウジング２０内の気圧と外部の気圧が同じとなる状態である。例えば、開放状態は、ハウジング２０の開口部がキャップによって閉塞できていない状態を含む。スマートフォン１は、開放状態である場合、グラフＧ１に示すように、利用者によって操作されてもハウジング２０内の気圧が変化しない。
【００５５】
図５に示すグラフＧ２は、スマートフォン１が封止状態のときに、利用者がタッチスクリーンディスプレイ２の中央付近を押下操作した場合の気圧の変化を示している。封止状態とは、ハウジング２０内への水の侵入が妨げられている状態である。封止状態では、ハウジング２０の開口が開放状態に比べて気体が抜けにくくなるため、ハウジング２０の内部には、開口が開放されている場合に比べて気圧が一時的に高くなるなどの現象が生じる。
【００５６】
例えば、封止状態は、ハウジング２０の開口部がキャップによって閉塞できている状態を含む。封止状態である場合、スマートフォン１は、利用者の指等によって押下操作されたタイミングでハウジング２０内の体積が小さくなり、ハウジング２０内の気圧が上昇する。そして、利用者が押下操作していた指等をタッチスクリーンディスプレイ２から離した場合に、スマートフォン１は、ハウジング２０内の体積が押下操作前の状態に戻り、その反動でハウジング２０内の気圧が一気に下降する。
【００５７】
図５に示す例では、利用者の指等によって押下操作されている操作範囲では、押下操作の開始に応じて加重が加えられると、気圧は、当該加重に応じて１００７［ｈＰａ］から１０１０［ｈＰａ］まで上昇する。その後、タッチスクリーンディスプレイ２から利用者の指等が離れるに従って、気圧は、元の気圧に向かって下降する。そして、押下操作が終了し、タッチスクリーンディスプレイ２から利用者の指等が完全に離れると、気圧は、反動で一気に９９３［ｈＰａ］まで下降する。その後、下降した気圧は、押下操作前の元の気圧に向かって徐々に復帰する。この場合、スマートフォン１に対する押下操作に応じた気圧の変化量は、約１７［ｈＰａ］である。
【００５８】
スマートフォン１は、気圧センサ１９によってハウジング２０内の気圧の変化を検出すると、当該気圧の値と気温を算出式に当てはめて高度を算出する。しかし、押下操作に応じた下降時の気圧の変化量が数ヘクトパスカルに及ぶ場合、スマートフォン１は、検出した気圧の変化量を高度に算出すると、算出した高度に数十メートルの誤差が発生してしまう。このため、スマートフォン１は、自機に対する利用者の操作を検出したときの気圧変動を無視する。
【００５９】
このように、スマートフォン１は、利用者による操作が行われていない場合に、気圧センサ１９が検出した気圧の値を有効とし、利用者による操作が行われた場合に、気圧センサ１９が検出した気圧の値を無視する。これにより、スマートフォン１は、利用者の操作に応じた気圧変動の影響を受けることなく、封止されたハウジング内の気圧の変化を検出する精度を向上することができる。
【００６０】
さらに、スマートフォン１は、利用者が操作していない場合に、高度の変化に応じたハウジング２０内の気圧の値のみを気圧センサ１９によって検出し、検出した気圧の値に基づいて高度を算出する。その結果、スマートフォン１は、算出した高度が、利用者による操作に応じて変化することを抑えることができる。例えば、スマートフォン１は、算出した高度を、ディスプレイ２Ａに天気情報とともに表示する場合に、高度が変化していないにも係わらず、利用者によるスマートフォン１の操作に応じて表示している高度が変わってしまうことを抑えることができる。
【００６１】
本実施形態では、スマートフォン１は、利用者が操作を開始してから気圧が安定するまでの気圧変動を無視する場合について説明するが、これに限定されない。例えば、押下操作中の気圧変動が小さく、押下操作の終了した後に気圧が大きく変動する場合、スマートフォン１は、操作終了後の気圧変動のみを無視するように構成されてもよい。
【００６２】
次に、気圧変動が生じる利用者の操作として、スマートフォン１が検出する例について説明する。気圧変動が生じる操作は、タッチスクリーンディスプレイ２に対する操作と、ボタン３に対する操作と、自機の姿勢を変化させる操作とを含む。タッチスクリーンディスプレイ２に対する操作は、スマートフォン１がタッチスクリーン２Ｂを介して判別する上記のジェスチャである。ボタン３に対する操作は、スマートフォン１がボタン３を介して検出する操作である。自機の姿勢を変化させる操作は、スマートフォン１が加速度センサ１５を介して検出する操作である。
【００６３】
本実施形態では、スマートフォン１は、気圧変動が生じる操作を検出してから当該操作終了後の無視範囲の間は、気圧センサ１９が検出した気圧を無視する場合について説明するが、これに限定されない。例えば、スマートフォン１は、気圧を無視する無視範囲の間は、気圧センサ１９を駆動させないように制御する構成としてもよい。無視範囲は、利用者による操作終了後の気圧変動を無視するための範囲である。無視範囲は、例えば、操作が終了してから気圧が安定するまでの範囲、操作が終了してからの所定の範囲等を含む。
【００６４】
次に、図６を参照しながら、タッチスクリーンディスプレイ２に対する操作位置と気圧変動との関係について説明する。図６は、タッチスクリーンディスプレイ２に対する操作位置と気圧変動との関係を説明するための図である。
【００６５】
図６に示す例では、気圧センサ１９は、タッチスクリーンディスプレイ２の中央に位置付けられるように、上記のハウジング２０内に設けられている。タッチスクリーンディスプレイ２は、中央の加重ポイントＰ１に加重が加わった場合に最も歪みやすく、加重ポイントＰ２から加重ポイントＰ３と中央から離れるにつれて、歪み量が小さくなる。その結果、同じ加重が加わった場合、スマートフォン１は、気圧センサ１９によって検出する気圧の変化量が、加重ポイントＰ１、Ｐ２、Ｐ３となるにつれて小さくなる。
【００６６】
本実施形態では、スマートフォン１は、タッチスクリーンディスプレイ２の全面に対する操作に対して、気圧変動を無視する場合について説明するが、これに限定されない。例えば、スマートフォン１は、タッチスクリーンディスプレイ２における所定の加重ポイントまたは所定の範囲に対して気圧変動を無視するか否かを判定するための判定条件データを記憶しておく。そして、スマートフォン１は、判定条件データに基づいて、検出した操作位置に応じて気圧変動を無視するか否かを判定するように構成されてもよい。
【００６７】
図７を参照しながら、スマートフォン１による気圧の検出に関する制御の処理手順について説明する。図７は、スマートフォン１による制御の例の処理手順を示すフローチャートである。図７に示す処理手順は、コントローラ１０が制御プログラム９Ａを実行することによって実現される。図７に示す処理手順は、気圧をサンプリングするごとに繰り返し実行される。
【００６８】
図７に示すように、スマートフォン１のコントローラ１０は、ステップＳ１０１として、気圧センサ１９によって自機に作用する気圧を検出する。そして、コントローラ１０は、ステップＳ１０２として、気圧が変動しているかを判定する。具体的には、コントローラ１０は、今回検出した気圧とこれまでに検出した気圧との差が閾値を超えた場合に、気圧が変動していると判定する。
【００６９】
気圧が変動している場合（ステップＳ１０２，Ｙｅｓ）、コントローラ１０は、ステップＳ１０３に進む。コントローラ１０は、ステップＳ１０３として、操作中であるかを判定する。具体的には、コントローラ１０は、タッチスクリーンディスプレイ２に対するジェスチャ、ボタン３に対する操作、姿勢の変化のうちの少なくとも１つを検出している場合に、操作中であると判定する。
【００７０】
操作中である場合（ステップＳ１０３，Ｙｅｓ）、コントローラ１０は、ステップＳ１０４に進む。コントローラ１０は、ステップＳ１０４として、検出した気圧変動を無視する。具体的には、コントローラ１０は、検出した気圧の値を気圧データ９Ｘに記憶せずに、削除する。あるいは、コントローラ１０は、操作を検出する直前の気圧を示す気圧情報を、今回検出した気圧情報として気圧データ９Ｘに記憶する。その後、コントローラ１０は、図７に示す処理手順を終了する。
【００７１】
操作中ではない場合（ステップＳ１０３，Ｎｏ）、コントローラ１０は、ステップＳ１０５に進む。コントローラ１０は、ステップＳ１０５として、操作終了後の無視範囲であるかを判定する。具体的には、コントローラ１０は、操作が終了してからの時間が無視範囲に対応した閾値を超えていない場合に、無視範囲であると判定する。操作終了後の無視範囲である場合（ステップＳ１０５，Ｙｅｓ）、コントローラ１０は、利用者による操作終了後の気圧変動を無視するために、既に説明したステップＳ１０４に進む。
【００７２】
操作終了後の無視範囲ではない場合（ステップＳ１０５，Ｎｏ）、コントローラ１０は、ステップＳ１０６に進む。コントローラ１０は、ステップＳ１０６として、ステップＳ１０１で検出した気圧の値を示す気圧情報にタイムスタンプを付加して気圧データ９Ｘに記憶する。その後、コントローラ１０は、図７に示す処理手順を終了する。
【００７３】
気圧が変動していない場合（ステップＳ１０２，Ｎｏ）、コントローラ１０は、既に説明したステップＳ１０６に進む。
【００７４】
本実施形態では、スマートフォン１は、検出した気圧が変動していない場合に、当該気圧情報を気圧データ９Ｘに記憶する場合について説明するが、これに限定されない。例えば、コントローラ１０は、気圧が変動していない場合、検出した気圧を示す気圧情報を気圧データ９Ｘに記憶しないように構成されてもよい。
【００７５】
次に、スマートフォン１が高度の変化を考慮して、利用者の消費量を算出する場合の例について説明する。
【００７６】
スマートフォン１は、算出アプリケーション９Ｂを実行し、加速度センサ１５によって検出した加速度値に基づいて利用者の移動速度を推定する。例えば、スマートフォン１は、上下方向の加速度値に基づいて利用者の歩数を算出し、算出した歩数から移動速度を推定する。そして、スマートフォン１は、気圧データ９Ｘに基づいて、利用者の移動時における気圧の変化量を高度算出式に当てはめて、移動時における利用者の高度変化を算出する。高度算出式は、気圧の変化量から高度変化を算出するための算出式である。そして、スマートフォン１は、利用者の移動速度と、高度変化を算出式に当てはめて、利用者の消費量（カロリー）を算出する。これにより、スマートフォン１は、利用者の操作による気圧の変化の影響を排除した利用者の高度変化を考慮することで、算出する消費量の精度を向上することができる。
【００７７】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７８】
例えば、図４に示した各プログラムは、複数のモジュールに分割されていてもよいし、他のプログラムと結合されていてもよい。
【００７９】
上記の実施形態において、スマートフォン１は、利用者の操作に応じた気圧変動を無視する場合に、利用者の移動方法を考慮するように変形してもよい。以下の説明においては、重複する説明は省略することがある。
【００８０】
利用者の移動方法は、例えば、利用者が自力で移動する第１移動方法と、利用者が移動体によって移動される第２移動方法とを含む。第１移動方法としては、例えば、徒歩、ランニング、自転車等によって利用者が自力で移動する方法を含む。第２移動方法としては、例えば、自動車、電車、エレベーター、エスカレーター等の移動体によって利用者が移動される方法を含む。利用者の消費量を算出する場合、スマートフォン１は、利用者が自力で移動している第１移動方法による高度変化を検出する必要がある。これにより、第１の変形例では、スマートフォン１は、第１移動方法での気圧の変動を検出する場合について説明する。
【００８１】
スマートフォン１は、自機に作用する加速度パターンに基づいて、利用者が第１移動方法と第２移動方法のいずれで移動しているかを判定するための判定条件を含む判定条件データを、設定データ９Ｚに記憶している。
【００８２】
スマートフォン１は、制御プログラム９Ａを実行することで、加速度センサ１５によって検出された加速度と判定条件データとに基づいて、利用者が第１移動方法で移動しているか、第２移動方法で移動しているかを判定する。具体的には、スマートフォン１は、設定データ９Ｚの判定条件データに基づいて、検出した加速度が、第１移動方法で移動しているときに自機に加わる加速度の方向及び大きさに基づく加速度の振動パターンに合致する場合に、第１移動方法で移動していると判定する。スマートフォン１は、第２移動方法についても、第１移動方法と同様に判定する。
【００８３】
スマートフォン１は、利用者が第１移動方法で移動していると判定した場合、気圧センサ１９によって検出した気圧の値を有効とする。そして、第１移動方法で移動している利用者による操作が行われている場合、スマートフォン１は、気圧変動を無視する。また、利用者が第２移動方法で移動している場合、利用者の消費量の算出に気圧は必要ないため、スマートフォン１は、気圧センサ１９によって検出した気圧の値を無視する。
【００８４】
このように、スマートフォン１は、利用者が第１移動方法で移動している場合に、自機に対する操作を検出すると、気圧センサ１９が検出した気圧の値を無視する。このため、スマートフォン１は、第１移動方法で移動中の利用者が操作していない場合に、高度の変化によって生じたハウジング２０内の気圧の値を気圧センサ１９によって検出し、検出した気圧の値に基づいて高度を算出することができる。その結果、スマートフォン１は、第１移動方法による利用者の移動中に算出する高度変化の精度を向上することができる。
【００８５】
図８を参照しながら、スマートフォン１による制御の処理手順の第１の変形例について説明する。図８は、スマートフォン１による制御の第１の変形例の処理手順を示すフローチャートである。図８に示す処理手順は、コントローラ１０が制御プログラム９Ａを実行することによって実現される。図８に示す処理手順は、気圧をサンプリングするごとに繰り返し実行される。
【００８６】
図８に示すように、スマートフォン１のコントローラ１０は、ステップＳ２０１として、加速度センサ１５によって自機に作用する加速度を検出する。そして、コントローラ１０は、ステップＳ２０２として、気圧センサ１９によって自機に作用する気圧を検出する。そして、コントローラ１０は、ステップＳ２０３として、検出した加速度と判定条件データとに基づいて、利用者の状態を判別する。具体的には、コントローラ１０は、第１移動方法または第２移動方法で移動している場合に移動状態、それ以外を静止状態と判定する。そして、利用者が移動状態である場合、コントローラ１０は、第１移動方法と第２移動方法のいずれの移動方法であるかを判別する。
【００８７】
移動状態である場合（ステップＳ２０４，Ｙｅｓ）、コントローラ１０は、ステップＳ２０５に進む。そして、移動方法が第１移動方法である場合（ステップＳ２０５，Ｙｅｓ）、コントローラ１０は、ステップＳ２０６に進む。コントローラ１０は、ステップＳ２０６として、気圧が変動しているかを判定する。気圧が変動している場合（ステップＳ２０６，Ｙｅｓ）、コントローラ１０は、ステップＳ２０７に進む。
【００８８】
コントローラ１０は、ステップＳ２０７として、操作中であるかを判定する。操作中である場合（ステップＳ２０７，Ｙｅｓ）、コントローラ１０は、ステップＳ２０８に進む。コントローラ１０は、ステップＳ２０８として、検出した気圧変動を無視する。その後、コントローラ１０は、図８に示す処理手順を終了する。
【００８９】
操作中ではない場合（ステップＳ２０７，Ｎｏ）、コントローラ１０は、ステップＳ２０９に進む。コントローラ１０は、ステップＳ２０９として、操作終了後の無視範囲であるかを判定する。操作終了後の無視範囲である場合（ステップＳ２０９，Ｙｅｓ）、コントローラ１０は、利用者による操作終了後の気圧変動を無視するために、既に説明したステップＳ２０８に進む。
【００９０】
操作終了後の無視範囲ではない場合（ステップＳ２０９，Ｎｏ）、コントローラ１０は、ステップＳ２１０に進む。コントローラ１０は、ステップＳ２１０として、ステップＳ２０２で検出した気圧の値を示す気圧情報にタイムスタンプを付加して気圧データ９Ｘに記憶する。その後、コントローラ１０は、図８に示す処理手順を終了する。
【００９１】
利用者が第１移動方法で移動しているときに、気圧が変動していない場合（ステップＳ２０６，Ｎｏ）、コントローラ１０は、既に説明したステップＳ２１０に進む。
【００９２】
移動している利用者の移動方法が第１移動方法ではない、すなわち、第２移動方法である場合（ステップＳ２０５，Ｎｏ）、コントローラ１０は、既に説明したステップＳ２０８に進む。
【００９３】
利用者が移動状態ではない、すなわち、静止状態である場合（ステップＳ２０４，Ｎｏ）、コントローラ１０は、既に説明したステップＳ２１０に進む。
【００９４】
上記の第１の変形例では、利用者が静止状態である場合、スマートフォン１は、静止状態に検出した気圧の値を全て有効とする場合について説明するが、これに限定されない。例えば、利用者がスマートフォン１を身に付けている場合、利用者の体重等でスマートフォン１に加重が加わるおそれがある。このため、利用者が静止状態である場合、または、第２移動方法で移動している場合、スマートフォン１は、加速度パターンから身に付けられていることを推定できた場合に、気圧センサ１９によって検出する気圧変動を無視するように構成されてもよい。
【００９５】
上記の実施形態において、スマートフォン１は、利用者の通話を自機に対する操作とし、当該操作に応じた気圧変動を無視するように変形されてもよい。
【００９６】
例えば、利用者が話している際の空気、声を出した時の振動による空気等の流れがハウジング２０内に発生した場合、スマートフォン１は、気圧センサ１９の搭載位置によっては気圧変動の影響を受けるおそれがある。
【００９７】
第２の変形例では、スマートフォン１は、制御プログラム９Ａを実行することで、気圧センサ１９によって気圧の変動を検出している場合に、利用者が通話中であるかを判定する。そして、通話中である場合、スマートフォン１は、検出した気圧変動を無視する。
【００９８】
このように、スマートフォン１は、利用者が通話中である場合、気圧センサ１９が検出した気圧の値を無視する。このため、スマートフォン１は、利用者が通話していない場合に、高度の変化によって生じたハウジング２０内の気圧の値を気圧センサ１９によって検出し、検出した気圧の値に基づいて高度を算出することができる。その結果、スマートフォン１は、算出した高度が、利用者による通話に応じて変化することを抑えることができる。
【００９９】
図９を参照しながら、スマートフォン１による制御の処理手順の第２の変形例について説明する。図９は、スマートフォン１による制御の第２の変形例の処理手順を示すフローチャートである。図９に示す処理手順は、コントローラ１０が制御プログラム９Ａを実行することによって実現される。図９に示す処理手順は、気圧をサンプリングするごとに繰り返し実行される。
【０１００】
図９に示すように、スマートフォン１のコントローラ１０は、ステップＳ３０１として、気圧センサ１９によって自機に作用する気圧を検出する。そして、コントローラ１０は、ステップＳ３０２として、気圧が変動しているかを判定する。
【０１０１】
気圧が変動している場合（ステップＳ３０２，Ｙｅｓ）、コントローラ１０は、ステップＳ３０３に進む。コントローラ１０は、ステップＳ３０３として、通話中であるかを判定する。具体的には、コントローラ１０は、電話アプリケーション９Ｃが実行されている場合に、通話中であると判定する。
【０１０２】
通話中である場合（ステップＳ３０３，Ｙｅｓ）、コントローラ１０は、ステップＳ３０４に進む。コントローラ１０は、ステップＳ３０４として、検出した気圧変動を無視する。その後、コントローラ１０は、図９に示す処理手順を終了する。
【０１０３】
通話中ではない場合（ステップＳ３０３，Ｎｏ）、コントローラ１０は、ステップＳ３０５に進む。コントローラ１０は、ステップＳ３０５として、ステップＳ３０１で検出した気圧の値を示す気圧情報にタイムスタンプを付加して気圧データ９Ｘに記憶する。その後、コントローラ１０は、図９に示す処理手順を終了する。
【０１０４】
気圧が変動していない場合（ステップＳ３０２，Ｎｏ）、コントローラ１０は、既に説明したステップＳ３０５に進む。
【０１０５】
上記の実施形態では、スマートフォン１は、気圧センサ１９によって検出した気圧に基づいた制御の例として、高度を算出する場合について説明したが、これに限定されない。例えば、スマートフォン１は、検出した気圧を通信ユニット６による通信を介して他の電子機器に送信する、検出した気圧に基づいてハウジング２０内の封止状態を監視する等の制御を行ってもよい。
【０１０６】
上記の実施形態において、スマートフォン１は、ジャイロスコープ１７によって利用者による操作を検出するように構成されてもよい。例えば、利用者がスマートフォン１を強く振ったときに、スマートフォン１は、ハウジング２０内に気圧変動が生じることがある。これにより、スマートフォン１は、ジャイロスコープ１７によって振られたことを検出した場合に、気圧変動を無視するように構成されてもよい。
【０１０７】
上記の実施形態では、スマートフォン１は、指紋センサを備えてもよい。この場合、指紋センサに対する操作時にも、ハウジング２０内に気圧変動が生じるおそれがある。これにより、スマートフォン１は、指紋センサに対する操作を検出した場合、上記の操作と同様に、気圧変動を無視するように構成されてもよい。
【０１０８】
上記の実施形態では、スマートフォン１は、利用者のポケットに入れられた状態、カバンの中に入れられた状態等である場合に、ハウジング２０に加重が加わって気圧変動が生じるおそれがある。これにより、スマートフォン１は、例えば、近接センサ、紫外線センサ等によって自機が外気と触れている状態にあるか否かを判定し、判定した結果と移動状態とを組み合わせて気圧変動を無視するかを判定するように構成されてもよい。
【０１０９】
上記の実施形態では、気圧センサ１９が検出した気圧の変化を無視したが、スマートフォン１が操作されている際に、気圧センサ１９に気圧を検出させないことで、操作されているときの気圧の変化を無視するように構成してもよい。
【０１１０】
上記の実施形態では、気圧センサを備える携帯電子機器の例として、スマートフォンについて説明したが、添付の請求項に係る携帯電子機器は、スマートフォンに限定されない。添付の請求項に係る携帯電子機器は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これに限定されない。
【０１１１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１１２】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  算出アプリケーション
９Ｃ  電話アプリケーション
９Ｗ  加速度データ
９Ｘ  気圧データ
９Ｙ  状態データ
９Ｚ  設定データ
１０  コントローラ
１１  スピーカ
１２、１３  カメラ
１４  コネクタ
１５  加速度センサ
１６  方位センサ
１７  ジャイロスコープ
１９  気圧センサ
２０  ハウジング
【図１】
2015122649.tif 000003
【図２】
2015122649.tif 000004
【図３】
2015122649.tif 000005
【図４】
2015122649.tif 000006
【図５】
2015122649.tif 000007
【図６】
2015122649.tif 000008
【図７】
2015122649.tif 000009
【図８】
2015122649.tif 000010
【図９】
2015122649.tif 000011